(57)【要約】  一の方向に沿って連なり、分娩処置用の医療具をそれぞれ収容する単位収容体（１００ａ〜１００ｋ）の一方端側に最初に開封すべき旨の情報を付し、一方端に対する他方端に、一の方向に沿って連なる単位収容体（１００）を包囲する帯体（１０）を設けるとともに、この帯体（１０）に単位収容体（１００ａ〜１００ｋ）又は帯体（１０）の一方面と接着する接着面（１１）を設ける。これにより、収容された医療具（２００）の使用順序が分かる医療具用容器（１）及び医療キット（２）を提供する。
2010128554.tif 000002
【特許請求の範囲】
【請求項１】
医療具がそれぞれ収容される複数の単位収容体を備え、
一の方向に沿って連なる単位収容体の一方端側に最初に開封すべき旨の情報が付されたことを特徴とする医療具用容器。
【請求項２】
請求項１に記載の医療具用容器において、
前記医療具は、分娩処置用の医療具である医療具用容器。
【請求項３】
請求項２に記載の医療具用容器において、
前記一方端側の単位収容体から他方端側の単位収容体へ向かって、前記各単位収容体に序数が昇順に付されたことを特徴とする医療具用容器。
【請求項４】
請求項３に記載の医療具用容器において、
前記各単位収容体に、前記一方端側から前記他方端側へ向かう方向を示す矢印が付されたことを特徴とする医療具用容器。
【請求項５】
請求項２に記載の医療具用容器において、
前記各単位収容体に、前記収容された医療具の使用要領が表示されたことを特徴とする医療具用容器。
【請求項６】
請求項２に記載の医療具用容器において、
前記一方端又は他方端に、前記一の方向に沿って連なる単位収容体を包囲する帯体を設け、
前記帯体に、前記単位収容体又は前記帯体と接着する接着面を設けたことを特徴とする医療具用容器。
【請求項７】
請求項６に記載の医療具用容器において、
前記帯体に設けられた接着面の裏面側に、前記医療具が使用済みであることを示す情報が付されたことを特徴とする医療具用容器。
【請求項８】
請求項２に記載の医療具用容器において、
前記隣接する単位収容体の境界域に折り目線が形成されたことを特徴とする医療具用容器。
【請求項９】
請求項８に記載の医療具用容器において、
前記隣接する単位収容体の境界域の一方には谷折の折り目線が形成され、前記境界域の他方には山折の折り目線が形成されたことを特徴とする医療具用容器。
【請求項１０】
請求項２に記載された医療具用容器と、
前記医療具用容器において前記一方端側から他方端に向かって連なる各単位収容体に、前記分娩処置における使用順序に従って収容される医療具と、を有する医療キット。
【発明の詳細な説明】
【技術分野】
【０００１】
この発明は、外科的手術、分娩、その他の医療処置に用いられる医療具を収容する医療具用容器及び医療処置に用いられる医療キットに関するものである。
【背景技術】
【０００２】
一回の体外循環処置に必要なものを一つの容器に収容した医療キットが知られている（特許文献１）。また、医療具と薬液を一の容器に収容した医療キットが知られている（特許文献２）。これらの医療キットでは、注射器、ガーゼ、綿球、ピンセット等の医療具が一つの容器に収容されるため、医療作業の利便性を向上させることができる。
【先行技術文献】
【特許文献】
【０００３】
【特許文献１】特開２００２−６９９号公報
【０００４】
【特許文献２】特開２００７−８９５９９号公報
【発明の概要】
【発明が解決しようとする課題】
【０００５】
しかしながら、上記特許文献に記載された医療キットのように、複数の医療具が一の容器に収容されると、医療処置法を熟知しない限り、どのように医療具を使用したらよいか分からないという問題があった。【０００６】
この発明が解決しようとする課題は、収容される医療具の使用法が分かる医療具用容器及び医療キットを提供することである。
【課題を解決するための手段】
【０００７】
本発明は、医療具がそれぞれ収容される複数の単位収容体を備え、一の方向に沿って連なる単位収容体の一方端側に最初に開封すべき旨の情報を付することにより、上記課題を解決する。
【発明の効果】
【０００８】
本発明によれば、複数の医療具を使用する場合において、使用順序などの使用法が分かりやすい医療具用容器及び医療キットを提供することができる。
【図面の簡単な説明】
【０００９】
【図１Ａ】本発明の実施形態を適用した医療具用容器１を正面側から見た図である。
【図１Ｂ】本発明の実施形態を適用した医療具用容器１を背面側から見た図である。
【図２Ａ】使用前の医療具用容器１を例示する図である。
【図２Ｂ】使用後の医療具用容器１を例示する図である。
【図３】図１Ａ及び図１Ｂに示す医療具用容器１の単位収容体１００に、使用前の医療具２００を収容する手法を説明するための図である。
【図４】医療具用容器１の単位収容体１００に医療具２００が収容された医療キット２を説明するための図である。
【図５】図１Ａ及び図１Ｂに示す医療具用容器１の単位収容体１００に、使用後の医療具２００を収容する手法を説明するための図である。
【図６Ａ】使用前の医療キット２の一例を示す図である。
【図６Ｂ】使用時の医療キット２の一例を示す図である。
【図６Ｃ】使用済みの医療キット２の一例を示す図である。
【発明を実施するための形態】
【００１０】
以下、本発明の実施の形態を図面に基づいて説明する。本実施形態では、分娩処置用の医療具を収容する医療具用容器１及び医療キット２を例にして説明する。なお、本実施形態の医療具用容器１及び医療キット２は、分娩処置用のものに限られず、広く医療具に適用することができる。
【００１１】
図１Ａは本実施形態の医療具用容器１を正面側から見た図であり、図１Ｂは本実施形態の医療具用容器１を背面側から見た図である。
【００１２】
図１Ａに示すように、本実施形態の医療具用容器１は、矢印Ｓで示す一の方向に沿って連なる複数の単位収容体１００ａ〜１００ｋ（単位収容体を総称するときには符号１００を付する）を有する。各単位収容体１００には、袋状の収容空間が形成され、この収容空間に分娩処置用の医療具その他の医療具が収容される。この単位収容体１００の材質は特に限定されず、ポリプロピレン、ポリエステル、ポリエチレンなどの合成樹脂、紙、布、加工紙、不織布などを用いることができる。
【００１３】
また、一方端側の単位収容体１００ａの表面には、最初に開封すべき旨の情報が付される領域Ｑが設けられている。本実施形態では、同図に示すように、単位収容体１００ａの表面領域Ｑに予め序数としての数字の「１」を表示する。数字の「１」は最も小さい自然数であるので、「１」が付された単位収容体１００ａが最初に開封すべき単位収容体である旨をユーザに伝えることができる。なお、最初に開封すべき旨の情報は数字に限定されず、アルファベットの「Ａ」、ギリシャ文字の「Ｉ」、五十音の「あ」ように各言語の文字音列の最初の文字を用いることができる。
【００１４】
ちなみに、本実施形態の医療具用容器１の単位収容体１００は一の方向に沿って連なるので、最初に開封すべき単位収容体１００ａが特定できれば、これに連なる単位収容体１００ｂ〜１００ｋに序数２〜１１が付されていなくても、順次隣接する単位収容体１００ｂ，１００ｃ…１００ｋが次に開封すべき単位収容体であることを推測できる。その結果、ユーザはこの医療具用容器１に収容された医療具を使用する順序を正確に理解することができる。
【００１５】
ただし、各単位収容体１００の開封順序、すなわち各収容体１００に収容される医療具の使用順序を明らかにする観点から、本実施形態では、図１Ａに示すように、一方端側の単位収容体１００ａから他方端側の単位収容体１００ｋへ向かって、各単位収容体に序数１，２，３…を昇順に付す。このように各単位収容体１００ａ〜１００ｋのそれぞれに開封の順序を表示することにより、ユーザがこの医療具用容器１に収容される医療具の使用順序をユーザが間違えることを防止することができる。
なお、図１Ａに示す例とは逆に、他方端側の単位収容体１００ｋから一方端側の単位収容体１００ａへ向かって、各単位収容体に序数１，２，３…を昇順に付してもよい。
【００１６】
加えて、各単位収容体１００の開封順序を明らかにする観点から、図１Ａに示すように、数字の昇順に従い、一方端側の単位収容体１００ａから他方端側の単位収容体１００ｋへ向かう方向を示す矢印Ｋを、各単位収容体１００に付す。単位収容体１００に矢印Ｋが表示されることにより、単位収容体１００の開封順序がより明確となり、ユーザがこの医療具用容器１に収容される医療具の使用順序を間違えることをより確実に防止することができる。なお、数字が、他方端側の単位収容体１００ｋから一方端側の単位収容体１００ａへ向かって昇順に付される場合は、他方端側の単位収容体１００ｋから一方端側の単位収容体１００ａへ向かう方向を示す矢印Ｋを、各単位収容体１００に付す。
【００１７】
また、図１Ａに示すように、各単位収容体１００の表面には、収容された医療具の使用要領が表示される領域Ｒが設けられている。この領域Ｒには、各単位収容体１００に収容される医療具の名称、医療具の使い方、医療具を使うタイミング、医療具を使うときの注意事項などの医療具の使用法や処置における判断基準を含む使用要領が文字や図により表示されている。各単位収容体１００に、収容された医療具の使用要領を表示することにより、ユーザは次に使う医療具とその使用要領とを対応づけて確認することができる。
【００１８】
本実施形態において、使用要領として表示される情報の内容は特に限定されないが、例えば、ある単位収容体１００に収容される医療具が分娩処置用の手袋の場合は、「赤ちゃんに触れるときは必ず手袋をしましょう」という注意事項が使用要領として単位収容体１００に表示される。また、ある単位収容体１００に収容される医療具が臍帯を止めるための一対のクランプである場合は、「赤ちゃんが生まれたら、直ちに１つのクランプで赤ちゃんのへその近くを止め、もう一つのクランプで母体側を止めましょう」という医療具を使うタイミング、医療具の注意事項及び医療具の使い方が使用要領として単位収容体１００に表示される。さらに、ある単位収容体１００に収容される医療具が臍帯を切るためのカミソリやハサミである場合は、「母体側の臍帯に止めたクランプと赤ちゃん側の臍帯に止めたクランプの間を切りましょう」という医療具の使い法が使用要領として、単位収容体１００に表示される。
【００１９】
さらに、本実施形態では、一方向に連なる単位収容体１００の一方端又は他方端に、一の方向に沿って連なる単位収容体１００を包囲する帯体１０を設ける。この帯体１０は、単位収容体１００が連なる方向に沿って延在し、使用前及び使用後において医療具用容器１を包囲する。この帯体１０の材質は特に限定されず、ポリプロピレン、ポリエステル、ポリエチレンなどの合成樹脂、紙、布、加工紙、不織布などを用いることができる。
【００２０】
図２Ａは、使用前において、単位収容体１００を巻き上げてから帯体１０で包囲した状態を示す図であり、図２Ｂは、使用後において、単位収容体１００を巻き上げてから帯体１０で包囲した状態を示す図である。図２Ａ及び図２Ｂでは、単位収容体１００を巻き上げてから帯体１０で包囲する例を示すが、単位包囲体１００を、単位包囲体１００の縁が揃うように折り畳んでから帯体１０で包囲するようにしてもよい。
【００２１】
また、本実施形態では、この帯体１０の一部又は全部に、単位収容体１００又は帯体１０と接着する接着面１１を設ける。単位収容体１００を巻き上げてから帯体１０で包囲し、帯体１０に設けられた接着面１１により、この帯体１０を単位収容体１００又は帯体１０自体に接着させる。これにより、一の方向に延びる医療具用容器１をコンパクトにまとめることができる。なお、接着面１１は剥離紙で覆い、帯体１０を止めるときにこの剥離紙を剥がして接着面１１を単位収容体１００に接着させてもよい。なお、接着面１１は、帯体１０の表面又は裏面のいずれかに設ける。
【００２２】
また、図１Ｂに示すように、帯体１０に設けられた接着面１１の裏面側に、医療具が使用済みであることを示す情報Ｌを付す。単位収容体１００を帯体１０で包囲し、包囲した帯体１０の一端を接着面１１で単位収容体１００又は帯体１０自体に接着させると、図２Ｂに示すように、この医療具が使用済みであることを示す情報Ｌを医療具用容器１の表面に示すことができる。これにより、この状態の医療具用容器１が使用済みの医療廃棄物であることを明示することができ、血液感染などの被害の発生を防止することができる。
【００２３】
なお、接着面１１が設けられた帯体１０の面側に、医療具が未使用であることを示す情報Ｎを付してもよい。図２Ａに示すように、単位収容体１００を帯体１０で包囲すると、情報Ｎを医療具用容器１の表面に示され、この状態の医療具用容器１には未使用の医療具２００が収容されていることを明示することができる。
【００２４】
さらに、図１Ａ及び図１Ｂに示すように、本実施形態では、隣接する単位収容体１００の境界の近くに設定された境界域に折り目線Ｍａ，Ｍｂを形成する。具体的には、互いに隣接する単位収容体１００の境界域の一方には谷折の折り目線Ｍａを形成し、境界域の他方には山折の折り目線Ｍｂを形成する。折り目線Ｍａ，Ｍｂの形成手法は特に限定されず、隣接する単位収容体１００の間にミシン目加工を施してもよいし、隣接する樹脂製の単位収容体１００の間を線状に加熱して薄肉にしてもよい。
【００２５】
このように、折り目線を設けることにより、一の方向に沿って連続する単位収容体１００を折り畳みやすくすることができ、使用前及び使用後にコンパクトにまとめることができる。
【００２６】
また、谷折りの折り目線Ｍａと山折りの折り目線Ｍｂを交互に形成することにより、谷折りの折り目線Ｍａで谷折りをし、山折りの折り目線Ｍｂで山折りをし、これを繰り返すと、複数の単位収容体１００の縁を揃えて畳むことができるので、一の方向に延びる医療具用容器１をさらにコンパクトにまとめることができる。
【００２７】
続いて、図３〜図５に基づいて、本実施形態の医療具用容器１に医療具２００が収容された医療キット２について説明する。図３は医療具用容器１の単位収容体１００に使用前の医療具２００を収容する手法を説明するための図、図４は医療具用容器１の単位収容体１００に医療具２００が収容された医療キット２を説明するための図、図５は使用済みの医療具２００を医療具用容器１の単位収容体１００に収容する手法を説明するための図である。
【００２８】
本実施形態において、医療具用容器１に収容される医療具２００の種類は限定されないが、分娩処置用の医療具２００としては、手指を清潔にするためのウェットティシュ、分娩処置を行う場所に敷く防水機能を有するシーツ（妊婦用シーツ）、新生児を寝かせる場所に敷く防水機能を有するシーツ（新生児用シーツ）、分娩処置用の手袋、臍帯を止めるクリップ、臍帯を切断するカミソリ又はハサミ、新生児用のタオル、新生児の口腔内の羊水を吸い取る吸引カテーテル、綿棒、ガーゼ、胎盤、臍帯、へその緒を収容するための袋を例示することができる。
【００２９】
図３は、単位収容体１００に、臍帯切断用ハサミ２００Ｄを収容する場合の例を示す。図３の右側図に示すように、各単位収容体１００が形成する収容空間に、開口部５０を介して予め滅菌包装された臍帯切断用ハサミ２００Ｄを収容する。本例の単位収容体１００の表面には、臍帯切断用ハサミ２００Ｄを使用する順序を示す序数「４」と、臍帯切断用ハサミ２００Ｄの使用要領が表示される。また、図３の左側図に示すように、臍帯切断用ハサミ２００Ｄが収容された後、単位収容体１００の開口部５０は封止される。図３に示すように、本実施形態の単位収容体１００の開口部５０には、繰り返し開閉可能なファスナ５１を設ける。ファスナ５１は開口部５０を開閉できる機能を有するものであれば限定されず、樹脂製のレールファスナー、面ファスナ、テープ状ファスナなどを用いることができる。図３に示す例では、一対のエレメントをスライダにより噛み合せることにより開口部５０を閉鎖するタイプのファスナ５１を示すが、一対のエレメントを手で押し合わせることにより開口部５０を閉鎖するタイプのファスナ５１を用いてもよい。もちろん、合成樹脂製の単位収容体１００の開口部５０を熱封止してもよい。
【００３０】
図４は、医療具用容器１の単位収容体１００に、医療具２００の一例としての、手袋、脱脂綿、クリップ、臍帯切断用ハサミが収容された医療キット２（一部）の一例を示す図である。第１番目に開封される単位収容体１００ａには、分娩処置用の手袋２００Ａが収容され、第２番目に開封される単位収容体１００ｂには、分娩処置用の脱脂綿２００Ｂが収容され、第３番目に開封される単位収容体１００ｃには、分娩処置用の臍帯を止めるためのクリップ２００Ｃが収容され、第４番目に開封される単位収容体１００ｄには、分娩処置用の臍帯を切断するための臍帯切断用ハサミ２００Ｄが収容される。
【００３１】
図４に示すように、ユーザは、まず、単位収容体１００ａの開口部５０を開封し、収容された分娩処置用の手袋２００Ａを取り出す。さらに、ユーザは、図示しない使用要領Ｒを読み（図３、図５を参照）、使用要領に留意しながら分娩処置用の手袋２００Ａを使用する。そして、単位収容体１００ａに表示された序数が示す順序に従い、単位収容体１００ｂ〜１００ｄに収容された医療具２００Ｂ〜２００Ｄを順次取り出して、使用する。
【００３２】
図５は、使用後の処理例を示す図である。使用後は、図５に示すように、使用済みの医療具２００を各単位収容体１００に戻す。そして、ユーザは開口部５０のファスナ５１を閉じる。
【００３３】
図６Ａ，図６Ｂ及び図６Ｃは、本実施形態の医療具用容器１に医療具２００が収容された医療キット２の実施例を示す図である。図６Ａは使用前の医療キット２の一例を示す図、図６Ｂは使用時の医療キット２の一例を示す図、図６Ｃは使用済みの医療キット２の一例を示す図である。
【００３４】
図６Ａに示すように、使用前の医療キット２は、複数の単位収容体１００がその連続する方向に沿って折り畳まれ、単位収容体１００の他方端側に設けられた帯体１０により包囲される。本例の使用前の医療キット２は、隣接する単位収容体１００の境界域の一方に形成された谷折の折り目線Ｍａと、境界域の他方に形成された山折の折り目線Ｍｂに沿って、山折と谷折を繰り返して折り畳まれている。複数の単位収容体１００の谷折の折り目線Ｍａと折の折り目線Ｍｂとを折り曲げることにより、単位収容体１００の縁を揃えて畳むことができるので、図６Ａに示すように、一の方向に延びる医療具用容器１をさらにコンパクトにまとめることができる。
また、使用前の医療キット２の表面には、未使用であることを示「Disinfecting：消毒済」の文字情報が表示される。この表示は帯体１０の接着面１１と同一の面に印刷される。本例では、接着面１１を剥離紙１１ａで覆う。
【００３５】
続いて、使用時においては、図６Ｂに示すように、医療キット２を包囲する帯体１０の封止が解除され、折り畳まれた複数の単位収容体１００が展開される。一方端の単位収容体１００ａには、最初に開封すべき旨の序数「１」が表示される。この一方端の単位収容体１００ａから他方端側の単位収容体１００ｇへ向かって並ぶ各単位収容体１００ｂ〜１００ｇのそれぞれに序数が昇順に付される。
【００３６】
また、各単位収容体１００ａ〜１００ｇには、一方端側から他方端側へ向かう方向を示す矢印Ｋが付される。加えて、各単位収容体１００ａ〜１００ｇには、収容された医療具の使用要領が表示される。
【００３７】
また、一方端の単位収容体１００ａと反対側の他方端には、帯体１０が設けられる。なお、図６Ｂに示す例は、図１Ａに示す例とは異なり、他方端の単位収容体１００ｇに帯体１０が設けられている。
【００３８】
そして、使用後においては、図６Ｃに示すように、医療キット２の複数の単位収容体１００がその連続する方向に沿って折り畳まれ、帯体１０により包囲される。
また、使用後の医療キット２には、使用済であることを示す「ＵＳＥＤ：使用済み」の文字情報と医療廃棄物である旨を示すマークが表示される。この表示は帯体１０の接着面１１の裏面に予め印刷される。
本例では、帯体１０の一方面に使用済であることを示す「ＵＳＥＤ：使用済み」の表示がされ、帯体１０の他方面に未使用であることを示す「Disinfecting：消毒済」の表示がされているため、使用後は、「ＵＳＥＤ：使用済み」の表示が表面に表され、「Disinfecting：消毒済」の表示が接着面として隠される。
使用前においては帯体１０の裏側に表示されていた「ＵＳＥＤ：使用済み」を表面に出すため、使用後においては、単位収容体１００の境界域の一方に形成された谷折の折り目線Ｍａを山折し、境界域の他方に形成された山折の折り目線Ｍｂを谷折にする。こうすることにより、折り畳まれた単位収容体１００を帯体１０により包囲した後に「ＵＳＥＤ：使用済み」を表面に表示することができる。また、折り目線を利用することにより、単位収容体１００の縁を揃えて畳むことができるので、図６Ｃに示すように、使用後においても、一の方向に延びる医療具用容器１をコンパクトにまとめることができる。
【００３９】
このように、本実施形態の医療具用容器１及び医療キット２によれば、収容された医療具の使用する順序を正確に理解することができる。つまり、一の方向に沿って連なり、一方端側の単位収容体１００に最初に開封すべき旨の情報が付されるため、ユーザは最初に開封すべき単位収容体１００を開封し、その後は、その単位収容体１００に隣接する単位収容体１００を順次開封すれば、順序を間違えることなく医療具を使用することができる。
【００４０】
ところで、分娩処置が専門病院で行われず、各家庭等で行われる場合がある。このような場合において、産婦及び家族等の助産者が分娩処置用の医療具の使用順序、使用方法、及び使用上の注意点を熟知していない場合がある。もちろん、妊娠・出産は病気ではないが、その処置を誤ると母体及び胎児の命が危険に晒される場合がある。
【００４１】
例えば、出産直後の新生児は免疫力が無く、清潔な状態で接しなければならないが、仕事や家事をした後の手で新生児を触ってしまうと、新生児が感染症に侵される恐れがある。また、助産者への感染を防止する観点からも、血液や体液に直接触れることは避けるべきである。
【００４２】
しかし、分娩処置用の手袋２００Ａが他の分娩処置用の医療具２００とともに同じ容器に収容される場合は、分娩第２期の胎児の頭が娩出され始めたときに複数の医療具２００が混在する容器の中から分娩処置用の手袋２００Ａを探し出さなければならない。もっとも、産婦及び助産者が衛生の観点から処置に際して分娩処置用の手袋２００Ａを装着する必要性を理解していなければ、分娩処置用の手袋２００Ａを探し出すという動作をすることもできない。
【００４３】
また、分娩処置において臍帯を止めるタイミングが遅れると、胎盤から新生児へ輸血がされてしまい、多血症、多血球症、過粘張、高ビリルビン血症が引き起こされる可能性がある。すなわち、新生児が生まれてから臍帯を止めるクリップを探すのでは、新生児に障害を与える恐れがある。
【００４４】
さらに、分娩処置においては、臍帯をクリップで止めてから臍帯を切断する必要があるが、この順序を間違えると、臍帯から新生児の体内に菌が侵入してしまう。つまり、医療具の使用順序を誤り、臍帯を切断してから臍帯をクリップで止めたのでは、新生児を感染症の危険に晒すことになる。
【００４５】
これに対し、本実施形態の医療具用容器１及び医療キット２によれば、複数の医療具２００を正しく使用することができるので、上述した分娩時の危険から産婦及び新生児を守ることができる。特に、分娩のように、比較的長い時間に渡って複数の医療具を決まった順序で使用する場合において、本実施形態の医療具用容器１及び医療キット２は有用である。
【図１Ａ】
2010128554.tif 000003
【図１Ｂ】
2010128554.tif 000004
【図２Ａ】
2010128554.tif 000005
【図２Ｂ】
2010128554.tif 000006
【図３】
2010128554.tif 000007
【図４】
2010128554.tif 000008
【図５】
2010128554.tif 000009
【図６Ａ】
2010128554.tif 000010
【図６Ｂ】
2010128554.tif 000011
【図６Ｃ】
2010128554.tif 000012
【国際調査報告】
2010128554.tif 000013
2010128554.tif 000014
2010128554.tif 000015
2010128554.tif 000016